(57)【要約】【課題】  扱胴の組上げを容易に行うことができるようにする。【解決手段】  円筒状の胴本体１５の前後に前側板１６と後側板１７とを連結し、胴本体１５を、部分円弧状に形成された複数の分割片１５ａを周方向に互いに連結して構成し、各分割片１５ａに扱歯１９をカシメ付け固定してある。【選択図】        図３
2006067910.tif 000002
【特許請求の範囲】
【請求項１】
円筒状の胴本体の前後に前側板と後側板とを連結し、前記胴本体を、部分円弧状に形成された複数の分割片を周方向に互いに連結して構成し、各分割片に扱歯をカシメ付け固定してあることを特徴とする脱穀装置の扱胴構造。
【請求項２】
複数の分割片を互いに脱着可能にボルト連結してある請求項１記載の脱穀装置の扱胴構造。
【請求項３】
複数の各分割片を同一の仕様に形成してある請求項１または２記載の脱穀装置の扱胴構造。
【発明の詳細な説明】
【技術分野】
【０００１】
本発明は、脱穀装置の扱室に装着される扱胴の構造に関する。
【背景技術】
【０００２】
扱胴は、円筒状の胴本体の前後に前側板と後側板とを連結して構成されており、胴本体の外周に突設される扱歯は、例えば、特許文献１に示されているように、扱歯基部から延出された一対のネジ軸部を胴本体の取付け孔に挿通して、胴内に突出したネジ軸部にナットを装着して締め上げ固定するのが一般的である。
【特許文献１】特開平８−２５６５８１号公報
【発明の開示】
【発明が解決しようとする課題】
【０００３】
上記構成の扱胴の製作においては、打ち抜き加工された１枚の板金素材をロール成形機にかけ、その両端部をスポット溶接等によって連結して円筒状の胴本体を形成し、この胴本体に数十本の扱歯を取付けた後、胴本体の前後に側板を取付けるとともに前側板および後側板の中心に亘って支軸を挿通装着するのであるが、胴本体への扱歯取付け行程において胴本体の内側からのナット締め操作に多大な労力と時間を要するものであった。
【０００４】
また、扱胴の外周面には蓋板によって開閉される点検口が形成され、破損あるいは摩損した扱歯を交換するために、点検口から工具を差し入れてナット操作を行うようになっているのであるが、扱歯の配列や扱胴の強度、等の関係で点検口は小さいものにならざるを得ず、このため、扱歯の交換作業、特に点検口から遠い箇所の扱歯交換作業には相当手間取るものとなっていた。
【０００５】
また、交換する扱歯の位置によっては、扱胴を脱穀装置から取り外して広い作業空間へ持ち出す必要があり、このためには扱胴を吊り上げ支持するホイストなどの吊下げ装置が必要であるとともに、扱胴駆動装置との分離操作も別途必要となり、相当大がかりで一層手間のかかる作業となる。
【０００６】
本発明は、このような点に着目してなされたものであって、扱胴の組上げを容易に行うことができるようにすることを主たる目的とし、また、脱穀装置に装着された後の扱胴の点検整備作業を容易に行えるようにすることを他の目的としている。
【課題を解決するための手段】
【０００７】
第１の発明に係る脱穀装置の扱胴構造は、円筒状の胴本体の前後に前側板と後側板とを連結し、前記胴本体を、部分円弧状に形成された複数の分割片を周方向に互いに連結して構成し、各分割片に扱歯をカシメ付け固定してあることを特徴とする。
【０００８】
上記構成によると、各分割片は部分円弧状に湾曲形成した板金部材であるので、プレス機によって簡単かつ能率よく成形することができる。また、表裏が開放された部材である分割片へ扱歯をカシメ付け連結する作業は広い作業空間で容易に行うことができる。そして、扱歯が装着された各分割片の前後の端辺を、支軸に連結した前側板と後側板とに亘って連結するとともに分割片の周方向の端辺同士を互いに連結することで支軸付きの扱胴を完成させることができる。
【０００９】
従って、第１の発明によると、胴内の狭い作業空間からの扱歯取付け操作を要することなく扱胴を組上げることが容易となり、生産性の向上およびコスト低減に有効となる。
【００１０】
第２の発明は、上記第１の発明において、
複数の分割片を互いに脱着可能にボルト連結してあるものである。
【００１１】
上記構成によると、一部の扱歯が損傷した場合、損傷した扱歯が装着されている分割片だけを取外し、取外した分割片から損傷した扱歯を除去して新しい扱歯をカシメ付けて再び扱胴に組付けたり、あるいは、予め扱歯を取付けた新たな分割片と取り替えたりすることが可能となる。また、取外した分割片は任意の作業空間に持ち運ぶことができるので、扱胴を脱穀装置から脱着する必要はなく、脱穀装置に装着された後の扱胴の点検整備作業を容易に行うことができる。
【００１２】
第３の発明は、上記第１または２の発明において、
複数の各分割片を同一の仕様に形成してあるものである。
【００１３】
上記構成によると、分割片を製作するプレス金型が一種類ですみ、第１または２の発明の上記効果をもたらすとともに、製作コスト低減に有効となる。
【発明を実施するための最良の形態】
【００１４】
図１に、自脱型コンバインに搭載される脱穀装置の縦断した側面図が示されている。この脱穀装置は、図１中の図外左方の刈取り部からで搬送されてきた横倒れ姿勢の刈取り穀稈をフィードチェーン１で受取り、その穂部を扱室２に挿入した状態で図中左方から右方に通過搬送することで、扱室２に支軸３を介して前後水平に軸支した扱胴４によって脱穀処理し、穀稈から分離した処理物を扱室下部に沿って張設した受網５で選別し、受網５を漏下した処理物を扱室２の下方に配備された揺動選別部６の前半部に落下供給するとともに、受網５を漏下しなかった処理物を扱室終端の送塵口７から搬出して揺動選別部６の前後中間部に落下供給し、揺動選別部６に落下供給された処理物を前後に長いシーブケース８で受け止め、載置した処理物を後方（図１では右方）に向けて揺動搬送しながら篩い選別するとともに、揺動選別部６の前端部に備えた唐箕９から後方上方に向けて供給された選別風を吹き付けて風選処理し、選別漏下した１番物を１番回収部１０に、また、２番物を２番回収部１１にそれぞれ選別回収し、１番回収部１０に回収した１番物を横スクリュー１２によって機外にまで横送りした後、穀粒タンクなどの回収部に供給し、２番回収部１１に回収した２番物を横スクリュー１３によって横送りした後、スクリュー式の２番還元装置３５によってシーブケース８の前部に還元供給して再選別処理を行うように構成されている。
【００１５】
また、扱室２の後方で揺動選別部６の後部上方箇所には、排ワラ搬送経路の下側に位置させて横断流ファンからなる排塵ファン１４が横架されており、送塵口７から吹き出てきた浮塵やワラ屑、選別風によって揺動選別部６の後部上方に吹き上げられた浮塵やワラ屑が排塵ファン１４に吸引されて強制的に機体後方に排出されるようになっている。
【００１６】
図２に示すように、前記扱胴４は、円筒状の胴本体１５の前後に皿状にプレス成形された前側板１６と円盤状に成形された後側板１７とを連結して構成され、前側板１６と後側板１７とに亘って前記支軸３が貫通止着されるようになっている。そして、図３に示すように、前記胴本体１５が、部分円弧状にプレス成形された４枚の分割片１５ａを周方向に互いに連結して構成されている。
【００１７】
各分割片１５ａは外形が同一で各種孔類が同じパターンで形成された同一仕様の共通部品として構成されており、各分割片１５ａには、一対づつの扱歯取付け孔１８が所定の配列パターンで打ち抜き形成されるとともに、各扱歯取付け孔１８に棒材をＶ形に屈曲形成してなる扱歯１９の連結基部１９ａが挿入されてカシメ付け固定されている。
【００１８】
また、各分割片１５ａにおける周方向の一端辺ｂにはボルト挿通孔２０が設けられるとともに、周方向の他端辺ｃは板厚分の段差をもって一段低く形成され、ここに裏ナット２１を備えた連結孔２２が設けられ、他端辺ｃの上に隣接する分割片１５ａの一端辺ｂを重ねてボルト２３を連結孔２２に締め込むことで、４枚の分割片１５ａが円筒状に連結されるようになっている。また、各分割片１５ａの前後の端辺ｆ，ｒにはボルト挿通孔２４，２５がそれぞれ設けられるとともに、前側板１６および後側板１７の外周部には裏ナット２６，２７を備えた連結孔２８，２９が設けられており、各分割片１５ａの前後の端辺ｆ，ｒを前側板１６および後側板１７の外周部に重ねてボルト３０，３１をそれぞれ連結孔２８，２９に締め込むように構成されている。
【００１９】
扱胴４の組上げに際しては、先ず、支軸３の所定位置に前側板１６および後側板１７を挿通止着し、予め扱歯１９がカシメ付け連結された４枚の分割片１５ａを前側板１６および後側板１７の外周に亘ってボルト締め連結するとともに、隣接する分割片１５ａの周方向の端辺同士を重ねてボルト絞め連結する。
【００２０】
上記のように組上げられた扱胴４を扱室２に支承して使用している間に、一部の扱歯１９が損傷あるいは摩損すると、その損傷あるいは摩損した扱歯１９を備えた分割片１５ａだけを扱胴４から取り外し、取外した分割片１５ａから損傷した扱歯１９のカシメ箇所を切除して新しい扱歯１９をカシメ付けて再び扱胴４に組付けたり、あるいは、予め扱歯１９が装着された新たな分割片１５ａと取り替えたりすることができる。
【００２１】
なお、前側板１６には扱室２に導入された穀稈を梳き伸ばす整梳歯３３が従来と同様に内側からナット締め固定されており、この整梳歯３３の交換は、一部の分割片１５ａを扱胴４から取外して周方向に約９０°の位相をもって大きく開口された点検口を開けて行うことになる。
【００２２】
〔他の実施例〕
【００２３】
（１）前記胴本体１５は、４以下の複数、あるいは、４以上の複数に分割して実施することもできる。
【００２４】
（２）複数の分割片１５ａは必ずしも同一の仕様である必要はなく、例えば４分割の場合、２種類の仕様に構成して実施することもできる。
【図面の簡単な説明】
【００２５】
【図１】脱穀装置の縦断側面図
【図２】扱胴の縦断側面図
【図３】扱胴の縦断正面図
【図４】扱胴構成部材の展開平面図
【図５】扱歯取付け部の縦断正面図
【図６】扱胴における胴本体の一部を示す縦断正面図
【図７】扱胴前部を示す縦断側面図
【図８】扱胴後部を示す縦断側面図
【符号の説明】
【００２６】
１５              胴本体
１５ａ            分割片
１６              前側板
１７              後側板
１９              扱歯
【図１】
2006067910.tif 000003
【図２】
2006067910.tif 000004
【図３】
2006067910.tif 000005
【図４】
2006067910.tif 000006
【図５】
2006067910.tif 000007
【図６】
2006067910.tif 000008
【図７】
2006067910.tif 000009
【図８】
2006067910.tif 000010